(57)【要約】      （修正有）【課題】小型且つ安価で、マイクロ波発生装置の出力も極端に大きなものではなく、簡易的に使用することができるスラリーの乾燥装置を提供する。【解決手段】スラリーの乾燥装置１は、乾燥ボックスとマイクロ波照射手段がモジュール化された市販品の電子レンジ３を利用しているので、小型且つ安価で、マイクロ波発生装置の出力も極端に大きなものではなく、簡易的に使用することができる。因みに電子レンジ３は出力５００Ｗ〜１５００Ｗのものを利用する。この程度の出力の電子レンジは家庭用または業務用として大量に市販されているので、安価に入手することが可能である。【選択図】図１
0003122490.tif 000002
【実用新案登録請求の範囲】
【請求項１】
スラリーが施された構造体を収容する乾燥ボックスと、前記乾燥ボックスに収容された構造体にマイクロ波を照射するマイクロ波照射手段と、前記乾燥ボックスに収容された構造体の端面に向かって乾燥ガスを送出する乾燥ガス送出手段と、前記乾燥ボックス内のガスを排出するガス排出手段とから成り、前記乾燥ボックスと前記マイクロ波照射手段とがモジュール化されていることを特徴とするスラリーの乾燥装置。
【請求項２】
請求項１に記載したスラリーの乾燥装置において、モジュール化された乾燥ボックスとマイクロ波照射手段は電子レンジであることを特徴とするスラリーの乾燥装置。
【請求項３】
請求項１または２に記載したスラリーの乾燥装置において、構造体は排気ガス浄化用触媒担体の基体であることを特徴とするスラリーの乾燥装置。
【考案の詳細な説明】
【技術分野】
【０００１】
本考案はスラリーの乾燥装置に係り、特に排気ガス浄化用触媒担体の製造において簡易的に使用できるスラリーの乾燥装置に関するものである。
【背景技術】
【０００２】
特許文献１には、排気ガス通路付担体（浄化用触媒担体）にコートされた触媒金属のスラリーをマイクロ波照射によって乾燥させる方法が開示されている。
【０００３】
【特許文献１】特開２００２−２７３２３９号公報
【考案の開示】
【考案が解決しようとする課題】
【０００４】
従来のマイクロ波を用いるスラリーの乾燥装置は大型で、しかも高価であるため、簡易的に使用することができないという欠点がある。また、大出力のマイクロ波発生装置を備えているので、マイクロ波の機外への漏出を完全に防止することは容易ではなく、安全上の問題もある。
それ故、従来は、マイクロ波照射は触媒微粒子のスラリーの乾燥など極限定された用途にのみ利用され、担持微粒子のスラリーの乾燥は専ら熱風乾燥により行っていた。
しかしながら、最近では、担持微粒子のスラリーの乾燥においても、乾燥速度を上げるために、熱風乾燥とマイクロ波照射を併用することが提案されている。
本考案は上記従来の問題点に着目して為されたものであり、小型且つ安価で、マイクロ波発生装置の出力も極端に大きなものではなく、簡易的に使用することができるスラリーの乾燥装置を提供することを、その目的とする。
【課題を解決するための手段】
【０００５】
本考案は上記課題を解決するためになされたものであり、請求項１の考案は、ラリーが施された構造体を収容する乾燥ボックスと、前記乾燥ボックスに収容された構造体にマイクロ波を照射するマイクロ波照射手段と、前記乾燥ボックスに収容された構造体の端面に向かって乾燥ガスを送出する乾燥ガス送出手段と、前記乾燥ボックス内のガスを排出するガス排出手段とから成り、前記乾燥ボックスと前記マイクロ波照射手段とがモジュール化されていることを特徴とするスラリーの乾燥装置である。
【０００６】
請求項２の考案は、請求項１に記載したスラリーの乾燥装置において、モジュール化された乾燥ボックスとマイクロ波照射手段は電子レンジであることを特徴とするスラリーの乾燥装置である。
【０００７】
請求項３の考案は、請求項１または２に記載したスラリーの乾燥装置において、構造体は排気ガス浄化用触媒担体の基体であることを特徴とするスラリーの乾燥装置である。
【考案の効果】
【０００８】
本考案によれば、小型且つ安価で、マイクロ波発生装置の出力も極端に大きなものではなく、簡易的に使用することができるスラリーの乾燥装置を提供することができる。
【考案を実施するための最良の形態】
【０００９】
本考案の実施の形態に係るスラリーの乾燥装置１を図面にしたがって説明する。
符号３は市販品の電子レンジを示し、この電子レンジ３は後述する乾燥ボックスとマイクロ波照射手段がモジュール化されている。
電子レンジ３は次に説明する改造が為されている。電子レンジ３の箱状本体５からターンテーブル及びターンテーブルを駆動する機構が外されている。そして、箱状本体５の底板には開口７が開けられている。箱状本体５には支持板８が底板との間に隙間をあけて設けられており、この支持板８には開口１０が形成されている。開口１０は支持板８に固定されたプレート９によって覆われている。プレート９はパンチングメタル製で多数の小孔が形成されている。
【００１０】
箱状本体５の側板にも開口１１が開けられ、この開口１１は側板に固定されたプレート１３によって覆われている。プレート１３はパンチングメタル製で多数の小孔が形成されている。
また、開口１１には排気管１２が接続されている。
上記箱状本体５と、この箱状本体５に取り付けられた扉１５とによって乾燥ボックスが構成されている。
【００１１】
図２に示すように箱状本体５の天板にはマイクロ波照射部１７が三箇所に設けられている。電子レンジ３に元から装備されている図示しないマイクロ波発生装置によって発生させられたマイクロ波はマイクロ波照射部１７から照射される。マイクロ波照射部１７と、上記マイクロ波発生装置によってマイクロ波照射手段が構成されている。
【００１２】
符号１９は連結ホースを示し、この連結ホース１９の一端部は開口７から箱状本体５内へ挿入されていて支持板８の開口１０に接続されている。連結ホース１９の他端部は熱風発生器２１に接続されている。熱風発生器２１は市販品であり、電気ヒータを備え、熱風の温度及び風量を調節することができる。
連結ホース１９と熱風発生器２１とによって乾燥ガス送出手段が構成されている。
【００１３】
次に、スラリーの乾燥装置１を用いて、構造体としての排気ガス浄化用触媒担体の基体２３に施したスラリーを乾燥する作業について説明する。
図３に示すように、箱状本体５内のプレート９上にプラスチック製のネット２２を置き、その上にプラスチック製のリング２５を置く。リング２５は、その中心とプレート９の中心とが合うように備える。そして、基体２３をリング２５の穴に嵌めてネット２２上に載置する。これにより、基体２３はプレート９のほぼ中央に備えられる。なおネット２２はスラリーの乾燥により基体２３がプレート９に固着してしまうのを防止するためのものである。
【００１４】
上記のようにして基体２３を箱状本体５に収容してから扉１５を閉める。次いで、電子レンジ３を作動させてマイクロ波照射部１７からマイクロ波を基体２３に照射する。これにより基体２３に施されたスラリーが加熱される。
また、熱風発生器２１を作動させて、連結ホース１９を介して箱状本体５へ熱風を送出する。箱状本体５へ送られた熱風はプレート９の小孔を通り、基体２３の下端面から上端面へ抜け、この際にスラリーが乾燥させられる。そして、蒸気を含んだ熱風はプレート１３の穴を抜け、排気管１２を通って箱状本体５外へ排出される。
このようにスラリーの乾燥装置１では、マイクロ波照射と熱風とを併用しているので、基体２３に施されたスラリーを短時間で乾燥させることができる。しかも、マイクロ波照射によりスラリーが内部から乾燥するので、バインダーがスラリーに配合されていても、バインダーの偏析によるヘアクラックの発生も防止できる。
【００１５】
上記のスラリーの乾燥装置１は、乾燥ボックスとマイクロ波照射手段がモジュール化された市販品の電子レンジ３を利用しているので、小型且つ安価で、マイクロ波発生装置の出力も極端に大きなものではなく、簡易的に使用することができる。
因みに電子レンジ３は出力５００Ｗ〜１５００Ｗのものを利用する。この程度の出力の電子レンジは家庭用または業務用として大量に市販されているので、安価に入手することが可能である。
また、熱風発生器２１も上記したように市販品であり、９０℃の熱風を２ｍ3／ｍｉｎ〜１０ｍ3／ｍｉｎの送出する能力をもつものがスラリーの乾燥装置１に好適である。
【００１６】
上記のようにスラリーの乾燥装置１は電子レンジ３を用いて製作したので、工業用のマイクロ波照射装置を利用してスラリーの乾燥装置を製作した場合と比べて、製作コストを１／５〜１／１０に抑えることができ、１００万円以下のコストで製作することが可能である。
【００１７】
図４に他の実施の形態を示す。
この実施の形態では、上記の実施の形態おいて用いたネット２２とリング２５の代わりに、四角形の枠体２７とこの枠体２７に取り付けられたネット２９から成る載置具３１を使用する。即ち、載置具３１をプレート９に載せ、ネット２９に基体２３を載せる。載置具３１は単体なので、上記実施の形態におけるネット２２とリング２５の２つを使用する場合と比べて取り扱いが簡単である。
【００１８】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、排気ガス浄化用触媒担体の基体に施したスラリーを乾燥する場合を示したが、排気ガス浄化用触媒担体以外のものに施したスラリーを乾燥するのに、本発明のスラリーの乾燥装置を用いることも可能である。
【図面の簡単な説明】
【００１９】
【図１】本考案の実施の形態に係るスラリー乾燥装置の斜視図である。
【図２】図１のスラリーの乾燥装置の構造を説明するため一部を破断した図である。
【図３】図１のスラリーの乾燥装置の箱状本体にネット、リング及び基体を収容した状態における箱状本体内部の斜視図である。
【図４】図１のスラリーの乾燥装置の箱状本体に載置台と基体を収容した状態における箱状本体内部の斜視図である。
【符号の説明】
【００２０】
１  スラリーの乾燥装置      ３  電子レンジ
５  （電子レンジの）箱状本体      １５  （電子レンジの）扉
１７  マイクロ波照射部      １９  連結ホース
２１  熱風発生器
【図１】
0003122490.tif 000003
【図２】
0003122490.tif 000004
【図３】
0003122490.tif 000005
【図４】
0003122490.tif 000006